(57)【要約】【課題】操作つまみの揺動軸に沿う方向の厚み寸法の薄型化を図ることができるスイッチを提供すること。【解決手段】内部に接点収納部１１を有するケース１０と、ケース１０の接点収納部１１の底面に設置される固定接点体４０及び可動接点体支持体５０と、可動接点体支持体５０に揺動自在に軸支され、固定接点体４０に設けた固定接点４５に接離する可動接点７１を有する可動接点体７０と、可動接点体７０の上部に設置され、可動接点体７０の上面に当接しながら移動することで可動接点体７０を揺動操作する操作体１９０を有する操作つまみ１５０とを具備する。操作体１９０は、操作つまみ１５０に設けた弾発部材収納部１７５内に、弾発バネ１８７と、弾発バネ１８７によって弾発される弾発体１８１とを収納して構成される。弾発体１８１を平板状に形成することでスイッチ１−１の厚みの薄型化を図る。【選択図】図３
2011198723.tif 000002
【特許請求の範囲】
【請求項１】
内部に接点収納部を有するケースと、
前記ケースの接点収納部の底面に設置される少なくとも一対の固定接点体及び可動接点体支持体と、
前記可動接点体支持体に揺動自在に軸支され、前記固定接点体に設けた固定接点に接離する可動接点を有する可動接点体と、
前記可動接点体の上部に設置され、前記可動接点体の上面に当接しながら移動することで可動接点体を揺動操作する操作体を有する操作つまみと、を具備するスイッチにおいて、
前記操作体は、前記操作つまみに設けた弾発部材収納部内に、弾発バネと、この弾発バネによって弾発される弾発体とを収納して構成され、前記弾発部材収納部内での弾発体の横断面における前記操作つまみの揺動軸に沿う方向の厚みを、前記揺動軸に直交する方向の厚みよりも薄く形成したことを特徴とするスイッチ。
【請求項２】
請求項１に記載のスイッチであって、
前記弾発体の上部には、前記弾発バネを挿入する切り欠きからなるバネ収納部が形成されていることを特徴とするスイッチ。
【発明の詳細な説明】
【技術分野】
【０００１】
本発明は、操作つまみの揺動によってスイッチ接点を切り換える揺動式（シーソー型）のスイッチに関し、特に電源のオンオフに用いて好適なスイッチに関するものである。
【背景技術】
【０００２】
従来、揺動型の電源スイッチ（電源のオンオフに用いるスイッチ）の中には、たとえば特許文献１の第４図，第５図に示すスイッチのように、下ケース（８）内に固定端子（１０）及び支持端子（９）を設置し、支持端子（９）の上辺上に接点板（１１）を揺動自在に軸支し、下ケース（８）の上部に設置されたレバー部（４）及び旋動体（５）を揺動することで旋動体（５）内部の圧縮バネ（６）によって弾発されているロッド（７）の先端を接点板（１１）の上面に当接しながら摺動させ、これによって接点板（１１）を揺動操作する構造のスイッチがある。
【先行技術文献】
【特許文献】
【０００３】
【特許文献１】実開平３−９２３３１号公報
【発明の概要】
【発明が解決しようとする課題】
【０００４】
そして従来、さらなるスイッチの薄型化（レバー部（４）の揺動軸に沿う方向の厚み寸法の薄型化）が求められているが、その場合、旋動体（５）の外径寸法を小さくしなければならず、それに伴ってロッド（７）及び圧縮バネ（６）の外径寸法も小さくしなければならない。しかしながらロッド（７）及び圧縮バネ（６）の外径寸法の小型化にはその強度や耐久性や弾発力の維持の点から限界があり、このため更なる厚みの薄型化が図れなかった。
【０００５】
本発明は上述の点に鑑みてなされたものでありその目的は、操作つまみの揺動軸に沿う方向の厚み寸法を容易に薄型化することができるスイッチを提供することにある。
【課題を解決するための手段】
【０００６】
本願請求項１に記載の発明は、内部に接点収納部を有するケースと、前記ケースの接点収納部の底面に設置される少なくとも一対の固定接点体及び可動接点体支持体と、前記可動接点体支持体に揺動自在に軸支され、前記固定接点体に設けた固定接点に接離する可動接点を有する可動接点体と、前記可動接点体の上部に設置され、前記可動接点体の上面に当接しながら移動することで可動接点体を揺動操作する操作体を有する操作つまみと、を具備するスイッチにおいて、前記操作体は、前記操作つまみに設けた弾発部材収納部内に、弾発バネと、この弾発バネによって弾発される弾発体とを収納して構成され、前記弾発部材収納部内での前記弾発体の横断面における前記操作つまみの揺動軸に沿う方向の厚みを、前記揺動軸に直交する方向の厚みよりも薄く形成したことを特徴とするスイッチにある。
【０００７】
本願請求項２に記載の発明は、請求項１に記載のスイッチであって、前記弾発体の上部には、前記弾発バネを挿入する切り欠きからなるバネ収納部が形成されていることを特徴とするスイッチにある。
【発明の効果】
【０００８】
請求項１に記載の発明によれば、弾発体の厚みを薄く構成したので、操作つまみの揺動軸に沿う方向のスイッチ全体の厚み寸法を容易に薄くすることができる。
【０００９】
請求項２に記載の発明によれば、弾発体の厚みを弾発バネの直径とほぼ同一寸法にまで薄くできるので、より効果的にスイッチ全体の厚み寸法の薄型化が図れる。
【図面の簡単な説明】
【００１０】
【図１】スイッチ１−１を上側から見た斜視図である。
【図２】スイッチ１−１を下側から見た斜視図である。
【図３】図１のＡ−Ａ概略断面図である。
【図４】図３のＢ−Ｂ概略断面図である。
【図５】スイッチ１−１を上側から見た上側部品の分解斜視図である。
【図６】スイッチ１−１を上側から見た下側部品の分解斜視図である。
【図７】スイッチ１−１を下側から見た上側部品の分解斜視図である。
【図８】スイッチ１−１を下側から見た下側部品の分解斜視図である。
【図９】ケース１０を別の角度から見た斜視図である。
【図１０】スイッチ１−１の動作説明図である。
【図１１】スイッチ１−２の概略断面図（図３に相当する部分）である。
【図１２】スイッチ１−２の概略断面図（図４に相当する部分）である。
【図１３】スイッチ１−２を上側から見た上側部品の分解斜視図である。
【発明を実施するための形態】
【００１１】
以下、本発明の実施形態を図面を参照して詳細に説明する。
図１は本発明の第１実施形態に係るスイッチ１−１を上側から見た斜視図、図２はスイッチ１−１を下側から見た斜視図、図３は図１のＡ−Ａ概略断面図、図４は図３のＢ−Ｂ概略断面図、図５はスイッチ１−１を上側から見た上側部品の分解斜視図、図６はスイッチ１−１を上側から見た下側部品の分解斜視図、図７はスイッチ１−１を下側から見た上側部品の分解斜視図、図８はスイッチ１−１を下側から見た下側部品の分解斜視図である。これらの図に示すようにスイッチ１−１は、２組の固定接点体４０及び可動接点体支持体５０と２組の可動接点体７０と２組の短絡片２００とを収納したケース１０と、ケース１０の接点収納部１１の上部開口を覆うカバー８０と、カバー８０の上部からケース１０の上部に設置される外側ケース１００と、外側ケース１００内にその上側から挿入されて外側ケース１００に揺動自在に取り付けられる操作つまみ１５０とを具備して構成されている。なお以下の説明において、「上」とはケース１０から操作つまみ１５０を見る方向をいい、「下」とはその反対方向をいうものとする。
【００１２】
図９はケース１０を別の角度から見た斜視図である。ケース１０は合成樹脂を上面が開口した略矩形箱型に一体成形して構成されている。ケース１０を構成する合成樹脂としては、耐アーク性に優れたメラミン樹脂，不飽和ポリエステルなどの熱硬化性の樹脂などの絶縁材を用いる。ケース１０の内部には上面が開口している凹状の接点収納部１１が形成されている。接点収納部１１の中央にはこれを２つに分割する分割壁１３が形成されている。分割壁１３で分割された２つの接点収納部１１内の底面には、２つずつ（全部で４つの）スリット状の端子挿入孔１５が設けられている。ケース１０の対向する短い方の両外周側辺の下端部からは外方に向けて略矩形状に突出する外側ケース取付部１７が設けられ、これら外側ケース取付部１７には一対ずつの上下に貫通する小孔からなる取付部１９が形成されている。
【００１３】
固定接点体４０は、略Ｌ字形状の金属板の屈曲している部分を略直角に折り曲げ、その一方の部分（水平方向を向く部分）を固定接点部４１、他方の部分（垂直方向を向く部分）を端子４３としている。固定接点部４１には略円板形状の固定接点４５が取り付けられている。各端子４３の左右両側辺の根元側の部分には、幅方向に張り出す小突起状の固定部４７が形成されている。
【００１４】
可動接点体支持体５０は、略Ｌ字形状の金属板の屈曲している部分を略直角に折り曲げ、その一方の部分（水平方向を向く部分）を支持体本体部５１、他方の部分（垂直方向を向く部分）を端子５３としている。支持体本体部５１はさらにその一端部を上方向に略直角に折り曲げてその立設する部分を立設部５４としている。立設部５４の上辺５５の左右両側の凸部は可動接点体係止部５６となっている。各端子５３の左右両側辺の根元側の部分には、幅方向に張り出す小突起状の固定部５７が形成されている。立設部５４の下部中央には略矩形状に貫通する開口５８が設けられ、その内周辺の内の上辺がストッパ部５９となっている。支持体本体部５１の上面には、一対の小突起状の短絡片取付部６１が形成されている。
【００１５】
短絡片２００は弾性を有する金属板製（この実施形態ではりん青銅板製）であり、前記可動接点体支持体５０の支持体本体部５１上に当接する平板状の取付基部２０１と、取付基部２０１の一辺から突出して略１８０°折り返してなるアーム部２０３と、アーム部２０３の先端に形成してなる弾接部２０５とを具備して構成されている。取付基部２０１には前記可動接点体支持体５０に設けた短絡片取付部６１が挿入される一対の小孔からなる取付部２０７が形成されている。折り返したアーム部２０３の前記一対の取付部２０７に対向する位置には開口部２０９が設けられ、開口部２０９を通して折り返したアーム部２０３の上部から前記一対の取付部２０７が見えるようにしている。アーム部２０３の先端の弾接部２０５の根元部分はストッパ部当接部２１１となっている。弾接部２０５はアーム部２０３の先端部分を上方向に略直角に折り曲げ、さらにその先端側の部分を逆方向に略直角に折り曲げた部分に設けられている。アーム部２０３のストッパ部当接部２１１近傍部分から弾接部２０５に至る部分は、これらの部分が前記可動接点体支持体５０の開口５８に挿入できるように細帯状に形成されている。
【００１６】
可動接点体７０は略帯状で細長形状の金属板で構成され、その一端近傍の下面に略円板形状の可動接点７１を取り付けている。また長手方向に向かう一対の両側辺のそれぞれの略中央に凹状に切り欠いてなる係止部７３を形成し、一対の係止部７３間を結ぶ可動接点体７０の下面の部分を線状の当接部分７５としている。また可動接点体７０の可動接点７１を設けた反対側の端部は下方向に屈曲され下方向を向く先端辺は当接部７７となっている。
【００１７】
カバー８０は合成樹脂を略矩形状であって前記ケース１０の接点収納部１１の上部開口を覆う寸法形状に成形して構成されている。カバー８０を構成する合成樹脂としては、耐アーク性に優れたメラミン樹脂，不飽和ポリエステルなどの熱硬化性の樹脂などの絶縁材を用いる。カバー８０の上面中央には上下に貫通する略矩形状の操作体挿通孔８３が形成されている。
【００１８】
外側ケース１００は合成樹脂製であり、略矩形箱型のケース本体部１０１と、ケース本体部１０１の対向する一対の辺から下方向に向けて突出する略平板状の側壁部１０３とを具備して構成されている。ケース本体部１０１の中央には、下記する操作つまみ１５０のつまみ外装体１６０を収納する上面が解放された操作つまみ収納部１０５が設けられ、操作つまみ収納部１０５の底面には開口１０７が形成されている。ケース本体部１０１の中央の対向する両側面には、一対の軸支孔１０９が設けられている。両側壁部１０３の外側面には、それぞれ一対ずつ弾発係止部１１１が形成されている。弾発係止部１１１は上下方向に延びて外方向に膨らむ略Ｖ字状の平板状のアームであり、弾性を有する。アームの上部の外側面には凹凸状の係止部１１３が形成されている。両側壁部１０３のそれぞれ下端辺からは前記ケース１０の各取付部１９に挿入される一対ずつで小突起状の取付突起１１５が突出している。
【００１９】
操作つまみ１５０はつまみ外装体１６０とつまみ本体１７０と弾発部材１８０とを具備して構成されている。つまみ外装体１６０は合成樹脂（たとえばＡＢＳ樹脂やポリカーボネート樹脂）の成形品であり、下面が解放された略矩形箱型に形成されている。つまみ外装体１６０の底面には４つの小突起からなる本体取付部１６３が形成されている。
【００２０】
つまみ本体１７０は略矩形状の合成樹脂（たとえば熱可塑性の難燃性のポリアミド樹脂）の成形品であり、前記つまみ外装体１６０の下面の凹部内にほぼぴったり収納できる寸法形状に形成されている。つまみ本体１７０には、前記つまみ外装体１６０の各本体取付部１６３を挿入・貫通させる小孔からなる４つの外装体取付部１７１が形成され、またその下面の略中央には下方向に突出する四角柱状の操作体本体部１７３が形成されている。操作体本体部１７３の下面の中央には、溝状（凹状）の分割壁挿通部１７９が形成され、これによって操作体本体部１７３の下部は途中で２つに分かれ、それぞれ四角筒状に突出している。別れた両操作体本体部１７３は、つまみ本体１７０の幅方向（操作つまみ１５０の揺動軸Ｋ１方向）に併設されている。別れた両操作体本体部１７３の下面にはそれぞれ図３，図４に示すように下記する弾発部材１８０を収納する略矩形状の凹部からなる弾発部材収納部１７５が形成されている。弾発部材収納部１７５の底面には、図３に示すように弾発バネ１８７の外径寸法とほぼ同一内径寸法の凹部からなるバネ受け部１７６が形成されている。なおつまみ本体１７０に設けた弾発部材収納部１７５と下記する弾発部材１８０とで操作体１９０が構成される。またつまみ本体１７０の前記外側ケース１００の軸支孔１０９に対向する一対の外周側面中央には、軸支孔１０９に回動自在に挿入される小突起からなる軸部１７７（図５，図７では手前側の１つのみ示す）が形成されている。
【００２１】
弾発部材１８０は合成樹脂製（たとえば熱可塑性のポリアミド樹脂やＰＢＴ樹脂または熱硬化性のメラミン樹脂など）で略平板形状の弾発体１８１と、コイルバネ製の弾発バネ１８７とによって構成されている。弾発体１８１は略長方形状の平板とすることで、その横断面における操作つまみ１５０の揺動軸Ｋ１（軸部１７７の軸）に沿う方向の厚みを、この揺動軸Ｋ１に直交する方向の厚みよりも薄く形成している。この弾発体１８１は前記つまみ本体１７０の弾発部材収納部１７５内に上下動（スライド移動）自在に収納される形状・寸法、つまりその横断面の形状が弾発部材収納部１７５の横断面の形状とほぼ同一形状に形成されている。また弾発体１８１の下部は先細り状に突出し、その先端面（下端面）は略円弧面状に形成された弾接面１８３となっている。一方弾発体１８１の上辺には弾発バネ１８７を挿入する切り欠きからなる（溝からなる）バネ収納部１８５が形成されている。バネ収納部１８５は薄く形成された側の両面（平面状となっている両面）が解放されるように切り欠かれている。バネ収納部１８５の深さ寸法は、弾発バネ１８７の長さ寸法よりも小さく形成されている。また弾発体１８１の薄い側の厚み寸法は、弾発バネ１８７の外径寸法と同一、又は弾発バネ１８７の外径寸法よりも少し大きい寸法に形成されている。なお弾発体１８１の材質は合成樹脂に限られず、例えば金属（アルミニウムや黄銅等）等で形成しても良い。
【００２２】
次にこのスイッチ１−１を組み立てるには、まず短絡片２００の取付基部２０１を可動接点体支持体５０の支持体本体部５１上に載置する。このとき支持体本体部５１の短絡片取付部６１を短絡片２００の取付部２０７に挿入し、同時に弾接部２０５を開口５８内に挿入してストッパ部当接部２１１をストッパ部５９に弾接させる。そして少なくとも一方の短絡片取付部６１の先端をかしめて潰し、これによって短絡片２００を可動接点体支持体５０上に取り付ける。次にケース１０の各接点収納部１１内にそれぞれ１組ずつの短絡片２００を取り付けた可動接点体支持体５０と固定接点体４０とを挿入し、固定接点体４０の端子４３と可動接点体支持体５０の端子５３とを、ケース１０の各端子挿入孔１５に挿入する。そしてケース１０の底面から突出する各端子４３，５３の根元の固定部４７，５７を機械的に潰し、これによって各固定接点体４０と可動接点体支持体５０をケース１０内の底面に固定する。さらに図示はしていないが、ケース１０の下面の前記各端子挿入孔１５の周囲にエポキシ系接着剤などからなる封止樹脂を充填し、端子４３，５３と端子挿入孔１５との間にあるわずかな隙間を封止する。
【００２３】
次にケース１０の各接点収納部１１内に一対の可動接点体７０を収納し、その際可動接点体７０の係止部７３に可動接点体支持体５０の可動接点体係止部５６を係止し、同時に可動接点体７０の当接部分７５を可動接点体支持体５０の上辺５５に線状に当接させる。可動接点体７０は当接部分７５を上辺５５に当接した状態のままこの当接部分７５を中心に揺動自在となる。次にカバー８０をケース１０上に載置し、ケース１０の上面の開口を塞ぐ。
【００２４】
次につまみ外装体１６０下面の凹部内に、つまみ本体１７０の上面側を収納し、その際つまみ外装体１６０の各本体取付部１６３をつまみ本体１７０の各外装体取付部１７１に挿入し、つまみ本体１７０の下面に突出する各本体取付部１６３の先端を熱かしめによって潰し、つまみ外装体１６０とつまみ本体１７０とを一体化する。そしてつまみ本体１７０の一対の弾発部材収納部１７５に弾発部材１８０を収納し、さらにこの操作つまみ１５０を外側ケース１００の操作つまみ収納部１０５に収納し、その際つまみ本体１７０に設けた軸部１７７を外側ケース１００に設けた軸支孔１０９に挿入し、これによって操作つまみ１５０を外側ケース１００に対して揺動自在に軸支する。
【００２５】
そしてこの外側ケース１００を前記カバー８０の上に載置する。このとき操作つまみ１５０の操作体１９０はカバー８０の操作体挿通孔８３を貫通し、先端の一対の弾発体１８１の弾接面１８３はそれぞれ各可動接点体７０の上面に弾接する。同時に外側ケース１００の各取付突起１１５をケース１０の各取付部１９に挿入し、各取付突起１１５の先端をケース１０の下面で熱かしめし、これによってケース１０に外側ケース１００を固定する。これによってスイッチ１−１の組み立てが完了する。なお上記組立手順はその一例であり、他の各種異なる組立手順を用いて組み立てても良いことはいうまでもない。
【００２６】
以上のようにして構成されたスイッチ１−１は、図３に示すように、内部に接点収納部１１を有するケース１０と、ケース１０の接点収納部１１の底面に設置される少なくとも一対の固定接点体４０及び可動接点体支持体５０と、可動接点体支持体５０に揺動自在に軸支され、固定接点体４０に設けた固定接点４５に接離する可動接点７１を有する可動接点体７０と、可動接点体７０の上部に設置され、可動接点体７０の上面に当接しながら移動することで可動接点体７０を揺動操作する操作体１９０を有する操作つまみ１５０とを具備し、さらに操作体１９０は、操作つまみ１５０に設けた弾発部材収納部１７５内に、弾発バネ１８７と、この弾発バネ１８７によって弾発される弾発体１８１とを収納して構成され、少なくとも弾発部材収納部１７５内での弾発体１８１の横断面における操作つまみ１５０の揺動軸Ｋ１に沿う方向の厚みを、揺動軸Ｋ１に直交する方向の厚みよりも薄く形成して構成されている。
【００２７】
図３，図４は操作つまみ１５０が一方の側に揺動しきってスイッチがオフして安定している状態を示している。同図に示す状態は、操作つまみ１５０の操作体１９０の弾発体１８１の弾接面１８３が可動接点体７０の上辺５５に当接している当接部分７５から見て可動接点７１とは反対側の上面を弾接している状態を示しており、これによって可動接点体７０はその当接部７７が可動接点体支持体５０の支持体本体部５１上に当接し、従って可動接点７１は固定接点体４０の固定接点４５から離れ、固定接点体４０と可動接点体支持体５０間、つまり両端子４３，５３間はオフ状態となっている。またこのとき、短絡片２００のアーム部２０３はその先端のストッパ部当接部２１１が可動接点体支持体５０のストッパ部５９に弾接しているので、その位置よりも上方には移動せず、従って弾接部２０５は可動接点体７０の下面から少し離間している。
【００２８】
次に前記操作つまみ１５０の上方向に持ち上がっている側の上面を押し込む方向に（図３に示す矢印Ｂ方向に）押圧すると、弾発体１８１の弾接面１８３が可動接点体７０の上面を可動接点７１側に向けて移動（摺動）を始め、可動接点体７０の当接部分７５の部分に至るまでは弾発バネ１８７が押し縮められて弾発体１８１は弾発部材収納部１７５内に押し込められ、弾発面１８３が当接部分７５の部分を通過した際に可動接点体７０は当接部分７５の部分を揺動軸として可動接点７１側が下降するように揺動を始め、押し縮められていた弾発バネ１８７の弾発力によって可動接点体７０は急速に揺動して図１０に示すように瞬時に可動接点７１が固定接点体４０の固定接点４５に当接し、固定接点体４０と可動接点体支持体５０間、つまり両端子４３，５３間がオンする。このとき操作つまみ１５０は他方の側に揺動しきって安定する。
【００２９】
そして上述のように可動接点７１側が下降している途中において、短絡片２００の弾接部２０５が可動接点体７０の下面に当接し、可動接点体７０が揺動し切るまで弾接部２０５は可動接点体７０の下面によって押し下げられる。つまり可動接点７１が固定接点４５にオンするその前後においては、短絡片２００の弾接部２０５が可動接点体７０に常に弾接するので、たとえスイッチ１−１がオンする際に可動接点体７０が立設部５４の上辺５５上でバウンシングしても、可動接点体７０と可動接点体支持体５０間は確実に電気的に接続された状態を維持する。
【００３０】
そしてこのスイッチ１−１においては、前述のように、弾発体１８１の厚み（特に弾発部材収納部１７５内での厚み）を薄く構成したので、操作つまみ１５０の揺動軸Ｋ１に沿う方向のスイッチ１―１全体の厚み寸法を容易に薄くすることができる。なおその際、弾発体１８１の揺動軸Ｋ１に直交する方向の厚み寸法を大きくすることなどによって、弾発体１８１の強度はこれを容易に強く維持しておくことができる。
【００３１】
特にこのスイッチ１−１のようにバネ収納部１８５を切り欠きで構成した場合は、弾発体１８１の厚み寸法を弾発バネ１８７の直径寸法と同じ程度まで薄くできるので、より効果的にスイッチ１−１の厚み寸法の薄型化が図れる。言い換えれば、弾発バネ１８７の直径を小さくすることなく、すなわちその耐久性や弾発力を小さくすることなくスイッチ１−１の薄型化が図れる。
【００３２】
またこのスイッチ１−１においては、ケース１０と外側ケース１００間の固定を、これらの外周側面の内の揺動軸Ｋ１に垂直な側の外周側面ではなく、揺動軸Ｋ１に沿う方向の外周側面において行っているので、このことによってもスイッチ１−１の揺動軸Ｋ１に沿う方向の厚み寸法の薄型化が図れる。
【００３３】
図１１は本発明の第２実施形態に係るスイッチ１−２の概略断面図（図３に相当する部分での断面図）、図１２はスイッチ１−２の概略断面図（図４に相当する部分での断面図）、図１３はスイッチ１−２を上側から見た上側部品の分解斜視図（図５に相当する分解斜視図）である。このスイッチ１−２において、前記図１〜図１０に示すスイッチ１−１と同一又は相当部分には同一符号を付す。なお以下で説明する事項以外の事項については、前記図１〜図１０に示すスイッチ１−１と同じである。
【００３４】
このスイッチ１−２において前記スイッチ１−１と相違する点は、つまみ本体１７０と弾発体１８１の構造である。即ちスイッチ１−２に用いるつまみ本体１７０においては、２つに分かれた操作体本体部１７３の先端部分のそれぞれの両側面（寸法の長い側の両側面）の下辺に凹部からなる弾発体挿入部１７４を設けている。弾発体挿入部１７４は下記する弾発体１８１の一対の軸支部３０５の上側部分をぴったり挿入する形状に形成されている。その他の部分の構成はスイッチ１−１のつまみ本体１７０と同一なので、その説明は省略する。
【００３５】
スイッチ１−２に用いる弾発体１８１は、弾発体本体部３００と回転体３５０とを具備して構成されている。弾発体本体部３００は略長方形平板状のスライド部３０１の下部に回転体取付部３０３を一体成形にて形成して構成されている。スライド部３０１には前記スイッチ１−１の場合と同様に、その横断面における操作つまみ１５０の揺動軸Ｋ１（軸部１７７の軸）に沿う方向の厚みを、この揺動軸Ｋ１に直交する方向の厚みよりも薄く形成している。このスライド部３０１はつまみ本体１７０の弾発部材収納部１７５内に上下動（スライド移動）自在に収納される形状・寸法、つまりその横断面の形状が弾発部材収納部１７５の横断面の形状とほぼ同一形状に形成されている。スライド部３０１の上辺には弾発バネ１８７を挿入する切り欠きからなる（溝からなる）バネ収納部３０２が形成されている。バネ収納部３０２は薄く形成された側の両面（平面状となっている両面）が解放されるように切り欠かれている。バネ収納部３０２の深さ寸法は、弾発バネ１８７の長さ寸法よりも小さく形成されている。またスライド部３０１の薄い側の厚み寸法は、弾発バネ１８７の外径寸法と同一、又は弾発バネ１８７の外径寸法よりも少し大きい寸法に形成されている。一方回転体取付部３０３は、一対の平板状の軸支部３０５の間にスリット状の回転体収納部３０７を形成して構成されている。各軸支部３０５の下端部中央の対向する位置には円形凹状の軸受部３０９が形成されている。回転体取付部３０３の揺動軸Ｋ１に沿う方向の厚み寸法は、つまみ本体１７０の操作体本体部１７３の２つに分かれた先端側の部分の揺動軸Ｋ１に沿う方向の厚み寸法と同一またはそれより小さい寸法に形成されている。なお弾発体本体部３００の材質は合成樹脂に限られず、例えば金属（アルミニウムや黄銅等）等で形成しても良い。
【００３６】
回転体３５０は金属製（たとえばアルミニウム製）であり、円板状の本体部３５１の両側面の中心位置から一対の回転軸３５３を突出して構成されている。回転体３５０の揺動軸Ｋ１に沿う方向の厚み寸法、即ち両回転軸３５３の両端面間の距離は、つまみ本体１７０の操作体本体部１７３の２つに分かれた先端側の部分の揺動軸Ｋ１に沿う方向の厚み寸法と同一またはそれより小さい寸法に形成されている。回転体３５０の材質は合成樹脂などの他の材質でも良い。
【００３７】
そして操作つまみ１５０の組み立ては、まず前記スイッチ１−１の場合と同様に、つまみ外装体１６０下面の凹部内に、つまみ本体１７０の上面側を収納し、その際つまみ外装体１６０の各本体取付部１６３をつまみ本体１７０の各外装体取付部１７１に挿入し、つまみ本体１７０の下面に突出する各本体取付部１６３の先端を熱かしめによって潰し、つまみ外装体１６０とつまみ本体１７０とを一体化する。一方弾発体本体部３００の回転体収納部３０７内に回転体３５０の本体部３５１を挿入し、その際回転体３５０の一対の回転軸３５３を弾発体本体部３００の軸受部３０９にスナップイン係合によって回転自在に係合する。そしてつまみ本体１７０の一対の弾発部材収納部１７５に、弾発体本体部３００のバネ収納部３０２に弾発バネ１８７を収納してなる弾発部材１８０のスライド部３０１の部分を上下動自在に収納する。これによって操作つまみ１５０の組み立てが完了する。なおその他のスイッチ１−２全体の組み立て方法は、前記スイッチ１−１で説明した組み立て方法と同一なので、その説明は省略する。
【００３８】
以上のようにして構成されたスイッチ１−２は、図１１，図１２に示すように、内部に接点収納部１１を有するケース１０と、ケース１０の接点収納部１１の底面に設置される少なくとも一対の固定接点体４０及び可動接点体支持体５０と、可動接点体支持体５０に揺動自在に軸支され、固定接点体４０に設けた固定接点４５に接離する可動接点７１を有する可動接点体７０と、可動接点体７０の上部に設置され、可動接点体７０の上面に当接しながら移動することで可動接点体７０を揺動操作する操作体１９０を有する操作つまみ１５０とを具備し、さらに操作体１９０は、操作つまみ１５０に設けた弾発部材収納部１７５内に、弾発バネ１８７と、この弾発バネ１８７によって弾発される弾発体１８１とを収納して構成され、少なくとも弾発部材収納部１７５内での弾発体１８１の横断面（即ちスライド部３０１の横断面）における操作つまみ１５０の揺動軸Ｋ１に沿う方向の厚みを、揺動軸Ｋ１に直交する方向の厚みよりも薄く形成して構成されている。
【００３９】
図１１，図１２は操作つまみ１５０が一方の側に揺動しきってスイッチがオフして安定している状態を示している。同図に示す状態は、操作つまみ１５０の操作体１９０の回転体３５０外周面の弾接面１８３が可動接点体７０の上辺５５に当接している当接部分７５から見て可動接点７１とは反対側の上面を弾接している状態を示しており、これによって可動接点体７０はその当接部７７が可動接点体支持体５０の支持体本体部５１上に当接し、従って可動接点７１は固定接点体４０の固定接点４５から離れ、固定接点体４０と可動接点体支持体５０間、つまり両端子４３，５３間はオフ状態となっている。またこのとき、短絡片２００のアーム部２０３はその先端のストッパ部当接部２１１が可動接点体支持体５０のストッパ部５９に弾接しているので、その位置よりも上方には移動せず、従って弾接部２０５は可動接点体７０の下面から少し離間している。
【００４０】
次に前記操作つまみ１５０の上方向に持ち上がっている側の上面を押し込む方向に（図１１に示す矢印Ｂ方向に）押圧すると、回転体３５０が回転することでその弾接面１８３の可動接点体７０の上面への当接位置が可動接点７１側に向けて移動を始め、可動接点体７０の当接部分７５の部分に至るまでは弾発バネ１８７が押し縮められて弾発体１８１は弾発部材収納部１７５内に押し込められ、当接位置が当接部分７５の部分を通過した際に可動接点体７０は当接部分７５の部分を揺動軸として可動接点７１側が下降するように揺動を始め、押し縮められていた弾発バネ１８７の弾発力によって可動接点体７０は急速に揺動して瞬時に可動接点７１が固定接点体４０の固定接点４５に当接し、固定接点体４０と可動接点体支持体５０間、つまり両端子４３，５３間がオンする。このとき操作つまみ１５０は他方の側に揺動しきって安定する。なお両端子４３，５３がオンする際の可動接点体７０と可動接点体支持体５０間の確実な電気的接続は、前述した短絡片２００の作用によって確保される。
【００４１】
そしてこのスイッチ１−２においては、前述のように、弾発体１８１の厚み（特に弾発部材収納部１７５内のスライド部３０１の厚み）を薄く構成したので、操作つまみ１５０の揺動軸Ｋ１に沿う方向のスイッチ１―２全体の厚み寸法を容易に薄くすることができる。なおその際、弾発体１８１のスライド部３０１の揺動軸Ｋ１に直交する方向の厚み寸法を大きくすることなどによって、弾発体１８１の強度はこれを容易に強く維持しておくことができる。
【００４２】
特にこのスイッチ１−２のようにバネ収納部３０２を切り欠きで構成した場合は、弾発体１８１のスライド部３０１の厚み寸法を弾発バネ１８７の直径寸法と同じ程度まで薄くできるので、より効果的にスイッチ１−２の厚み寸法の薄型化が図れる。言い換えれば、弾発バネ１８７の直径を小さくすることなく、すなわちその耐久性や弾発力を小さくすることなくスイッチ１−２の薄型化が図れる。
【００４３】
さらにこのスイッチ１−２においては、揺動軸Ｋ１に沿う方向に向かってつまみ本体１７０の操作体本体部１７３から回転体取付部３０３の外側面と回転体３５０の回転軸３５３の端面が突出しない寸法となっており、この点からもスイッチ１−２の厚み寸法の薄型化が図れる。
【００４４】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば、つまみ外装体１６０とつまみ本体１７０は、一体成形にて１つの部品で構成しても良い。また、ケース１０，固定接点体４０，可動接点体支持体５０，短絡片２００，可動接点体７０，カバー８０，外側ケース１００，操作つまみ１５０などの各部品の形状・構造に種々の変更が可能であることは言うまでもない。
【００４５】
また上記スイッチ１−１，１−２に用いた弾発体１８１（弾発体本体部３００）のバネ収納部１８５（３０２）は、薄く形成された側の両面（平面状となっている両面）が解放される切り欠きによって構成されているが、場合によっては、薄く形成された側の両面（平面状となっている両面）の内の一方の面のみが解放される切り欠きによって構成してもよく、さらには何れの面も解放されない凹状の穴によって構成してもよい。
【符号の説明】
【００４６】
１−１  スイッチ
１０  ケース
１１  接点収納部
４０  固定接点体
４５  固定接点
５０  可動接点体支持体
７０  可動接点体
７１  可動接点
８０  カバー
１００  外側ケース
１５０  操作つまみ
１７５  弾発部材収納部
１８１  弾発体
１８５  バネ収納部
１８７  弾発バネ
１９０  操作体
Ｋ１  揺動軸
１−２  スイッチ
３００  弾発体本体部
３５０  回転体
【図１】
2011198723.tif 000003
【図２】
2011198723.tif 000004
【図３】
2011198723.tif 000005
【図４】
2011198723.tif 000006
【図５】
2011198723.tif 000007
【図６】
2011198723.tif 000008
【図７】
2011198723.tif 000009
【図８】
2011198723.tif 000010
【図９】
2011198723.tif 000011
【図１０】
2011198723.tif 000012
【図１１】
2011198723.tif 000013
【図１２】
2011198723.tif 000014
【図１３】
2011198723.tif 000015